(57)【要約】【課題】  本発明は、マイクロ波共振器内の生体試料を電子スピン共鳴測定する時に、該試料の動きによる擾乱を補償でき、該測定を安定に行える連続波電子スピン共鳴測定装置の自動制御装置を提供する。【解決手段】  電子スピン共鳴測定装置の自動マッチング制御回路は、共振器に接続された伝送線路から一部分岐された反射波信号を包絡線検波する検波回路Ｄ２、参照信号を出力する発振器Ｏ３、反転処理された参照信号を位相調整する移相器１０３、該移相器の後に接続された高域通過フィルタ回路１０５、検波回路の検波信号と高域通過フィルタ回路を通過した参照信号とを混合する平衡変調器Ｍ２、該平衡変調器の出力を積分する積分器１０４、移相器による位相調整のマージンを確保できるように動作する位相補償回路１０６、そして、積分器の出力信号に参照信号を加算し制御信号を送出する加算器を備える。【選択図】      図６
2007010331.tif 000002
【特許請求の範囲】
【請求項１】
電子スピン共鳴共振器に接続された伝送線路から一部分岐された反射波信号を包絡線検波する検波回路と、
参照信号を出力する発振器と、
位相反転され又は非反転の前記参照信号を位相調整する移相器と、
前記移相器の後に接続された高域通過フィルタ回路と、
前記検波回路の検波信号と、前記高域通過フィルタ回路を通過した前記参照信号とを乗算する平衡変調器と、
前記平衡変調器の出力を積分する積分器と、
前記積分器の出力信号に前記参照信号を加算する加算器と、を備え、
前記加算器の加算出力信号に基づいて、前記共振器の入力インピーダンスを前記伝送線路の特性インピーダンスに整合させることを特徴とする電子スピン共鳴測定装置の自動制御装置。
【請求項２】
前記高域通過フィルタ回路は、前記参照信号の周波数付近を遮断周波数とすることを特徴とする請求項１に記載の電子スピン共鳴測定装置の自動制御回路。
【請求項３】
前記移相器が、前記参照信号を入力とする演算増幅器を含み、該参照信号の位相を所定範囲の位相に調整でき、
位相補償回路が、前記積分器と前記加算器との間に挿入され、
前記位相補償回路が、フィードバック制御システムの位相マージンを確保できるように動作することを特徴とする請求項１又は２に記載の電子スピン共鳴測定装置の自動制御回路。
【請求項４】
前記検波回路の検波信号を自動チューニング制御用の変調信号に基づいて位相検波する位相検波回路と、
前記位相検波回路の出力信号に第１バイアス電圧を加算する第１加算器と、を有する自動チューニング制御回路を含み、
前記自動チューニング制御回路が、前記共振器の共振周波数を、該共振器に供給されるマイクロ波の周波数に同調させる自動制御を行うことを特徴とする請求項１乃至３のいずれか一項に記載の電子スピン共鳴測定装置の自動制御回路。
【請求項５】
前記検波回路の検波信号を自動周波数制御用の変調信号に基づいて位相検波する位相検波回路と、
前記位相検波回路の出力信号に、第２バイアス電圧と前記変調信号を加算する第２加算器と、を有する自動周波数制御回路を含み、
前記自動周波数制御回路が、前記共振器に供給されるマイクロ波周波数を、該共振器の共振周波数に同調させる自動制御を行うことを特徴とする請求項１乃至４のいずれか一項に記載の電子スピン共鳴測定装置の自動制御回路。
【請求項６】
前記検波回路の検波信号を変調信号に基づいて位相検波する位相検波回路と、
前記位相検波回路の出力信号に第１バイアス電圧を加算する第１加算器と、
前記位相検波回路の出力信号に第２バイアス電圧と前記変調信号を加算する第２加算器と、
前記位相検波回路の出力信号を、第１加算器と第２加算器とに切替出力できる切替回路と、を備えたことを特徴とする請求項４及び５に記載の電子スピン共鳴測定装置の自動制御回路。
【発明の詳細な説明】
【技術分野】
【０００１】
本発明は、電子スピン共鳴測定装置の自動制御装置に関し、特に、連続波による電子スピン共鳴測定装置において、マイクロ波共振器内に収納された或いは近接した生体試料を測定する際に、該生体試料の動きによる擾乱を補償し、電子スピン共鳴測定を安定に行える自動制御装置に関する。
【背景技術】
【０００２】
一般に、電子スピン共鳴（ＥＳＲ）測定法は、電子が有する磁気モーメントの運動を利用して、フリーラジカルのような不対電子を持つ原子や分子について測定する方法である。通常、電子は、原子又は分子の軌道上で対をなして含まれるが、遷移金属イオンやラジカルの最外軌道上では、例えば、１個の電子のみが存在する場合には、これが不対電子となる。
【０００３】
ＥＳＲの応用分野は、化学、物理学、生物学、及び医学等のように広範囲にわたる。最近では、生体内に自然発生するフリーラジカルが、癌や老化等に関係しているのではないかとされ、医学や生物学などの分野で話題になっている。ＥＳＲ測定は、不対電子を有するフリーラジカルを非破壊的に測定でき、現段階では有効な方法である。
【０００４】
ＥＳＲ測定装置には、主に、パルスＥＳＲ法と連続波ＥＳＲ（ＣＷ−ＥＳＲ）法とが採用されているが、従来のＣＷ−ＥＳＲ法は、マイクロ波の周波数を一定にし、磁界掃引を行うことにより、ＥＳＲ信号を測定するという原理に基づいており、さらに、高感度化のためには、磁界変調をかけて測定するようにしている。
【０００５】
従来のＣＷ−ＥＳＲ測定装置の概略構成が、図１に示されている。ＣＷ−ＥＳＲ測定装置におけるＥＳＲ測定のための基本的構成は、発振器Ｏ１、ブリッジＣ、ＥＳＲ共振部Ｒ、位相敏感検波（ＰＳＤ）回路１、そして、ＥＳＲ共鳴測定制御装置２からなる。ＥＳＲ共鳴共振部Ｒは、共振器Ｒ１、一対の直流磁界用マグネットＲ２、一対の変調磁界用コイルＲ３を有している。発振器Ｏ１は、マイクロ波等の測定用搬送波を発生するものである。発振周波数としては、例えば、１．１ＧＨｚ等が用いられる。
【０００６】
図１では、共振器Ｒ１が、変調磁界用コイルＲ３の上方に置かれているが、測定時には、試料が変調磁界用コイルＲ３の間に配置されるので、共振器Ｒ１は、サーフェイスコイル型の場合では、試料に接触又は近接され、或いは、ループ・ギャップ型の場合では、その内部に試料が配置される。一対の直流磁界用マグネットＲ２は、試料の測定部位に直流磁界を印加して磁界掃引を行うものであり、直流電源５により駆動される。また、一対の変調磁界用コイルＲ３は、高感度の測定を実現するため、変調磁界を印加するものであり、電力増幅器６により、発振器Ｏ２の変調信号が電力増幅され、供給される。
【０００７】
ブリッジＣは、その内部にサーキュレータを含み、或いは、方向性結合器やハイブリッド等により構成されてもよい。その役割は、発振器Ｏ１からのマイクロ波を共振器Ｒ１に供給し、共振器Ｒ１で反射され振幅変調されたマイクロ波をＰＳＤ回路１に伝送することにある。ＰＳＤ回路１は、反射されたマイクロ波を、発振器Ｏ２からの変調信号に基づいて位相検波し、その検波信号をＥＳＲ共鳴測定制御装置２に伝送する。ＥＳＲ共鳴測定制御装置２は、測定システム全体を制御するとともに、検波信号に基づいて測定を行う。
【０００８】
この様に構成されたＣＷ−ＥＳＲ測定装置では、同軸ケーブルを介して、周波数一定のマイクロ波が、例えば、１ターンコイルを有するループ・ギャップ共振器Ｒ１に伝送され、その内部に置かれた試料に供給される。試料が置かれた共振器Ｒ１から反射された反射波は、１ターンコイルを介してブリッジＣに戻される。測定の際、直流磁界用コイルＲ２が、試料に印加する磁界を直流掃引するとともに、変調磁界用コイルＲ３が磁界の時間的変化を発生する。
【０００９】
次に、ＣＷ−ＥＳＲ測定装置における一部詳細構成を示した図２を参照して、その測定装置の動作の概略を説明する。変調用の発振器Ｏ２から発振出力された変調信号は、電力増幅器を介して、変調磁界用コイルＲ３に供給されるとともに、ＰＳＤ回路１にも供給され、ここで、位相、振幅及び直流成分が調整される。発振器Ｏ１から出力されたマイクロ波は、分配器により、主線路用マイクロ波及び参照用マイクロ波に分岐される。
【００１０】
主線路用マイクロ波は、ブリッジＣに供給される。ブリッジＣにより分岐された主線路マイクロ波は、１ターンコイルを経て共振器Ｒ１に導かれ、共振器Ｒ１内の試料に供給される。このとき、１ターンコイルと共振器Ｒ１との距離を調整することで、反射を最小とするように調整する。試料が内包される共振器Ｒ１から反射された反射波は、再び１ターンコイルを経て、ブリッジＣに戻される。反射波は、増幅器７で増幅された後、電力合成器Ａ１に供給される。
【００１１】
一方、前述の分配器で分配された参照用マイクロ波は、移相器９により、共振器Ｒ１からの反射波と位相が合うように調整され、電力合成器Ａ１に供給される。そこで、電力合成器Ａ１は、ブリッジＣから出力された反射波と、移相器９から供給された参照用マイクロ波とを加算し、検波回路Ｄ１で検波を行う。検波回路Ｄ１から出力された検波出力は、ＰＳＤ回路１により、位相検波される。ＰＳＤ回路１の出力であるＥＳＲ検出信号は、パーソナルコンピュータなどを備えた測定制御装置２に導かれる。測定制御装置２は、直流磁界用マグネットＲ２に供給される直流電流を制御して、直流磁界を掃引することによって、検出されたＥＳＲ検出信号に基づいて、電子スピン共鳴が測定される。
【００１２】
ところで、以上に説明した構成による電子スピン共鳴測定装置においては、電子スピン共鳴測定を安定的に行うことができるように、種々の自動制御回路が組み込まれている。それらの自動制御回路として、代表的なものとして、自動周波数制御回路（ＡＦＣ）、自動チューニング制御回路（ＡＴＣ）、自動マッチング制御回路（ＡＭＣ）が挙げられる。
【００１３】
自動周波数制御回路（ＡＦＣ）は、図１及び図２には示されていないが、マイクロ波共振器Ｏ１の共振周波数にマイクロ波周波数を同調させるものとして提案されている（例えば、非特許文献１を参照）。このＡＦＣでは、常に、マイクロ波周波数と、マイクロ波共振器Ｏ１の共振周波数と一致させるように、マイクロ波発振器Ｏ１の発振周波数を自動制御している。
【００１４】
この自動制御では、周波数変調したマイクロ波発振器Ｏ１の出力を、反射型の共振器Ｒ１に導入し、反射されたマイクロ波信号の包絡線を位相検波することにより、周波数のずれを検出しており、この周波数のずれに応じて発振器Ｏ１を負帰還制御している。この自動制御により、電子スピン共鳴現象による分散の影響を取り除くことができ、吸収量を正確に測定することが可能となる。
【００１５】
また、自動チューニング制御回路（ＡＴＣ）は、図１及び図２に示されるように、マイクロ波共振器Ｒ１の共振周波数をマイクロ波周波数に同調させるものとして提案されている（例えば、非特許文献２を参照）。このＡＴＣによれば、試料が動いても、マイクロ波共振器Ｒ１の共振周波数をマイクロ波周波数に一致させておくことができる。
【００１６】
このＡＴＣシステムには、マイクロ波共振器Ｏ１の共振周波数をマイクロ波周波数に一致させるため、例えば、マイクロ波発振器と、位相検波回路と、共振器のギャップ部に誘電体を出し入れする電磁モータとを用いて、負帰還制御を実現することができる。或いは、この電磁モータの他に、圧電アクチュエータを用いて、誘電体板の位置を制御することによっても、実現できる。
【００１７】
さらに、自動マッチング制御回路（ＡＭＣ）は、図１及び図２に示されるように、マイクロ波共振器Ｒ１の入力インピーダンスを、通常では、伝送線路の特性インピーダンス、例えば、５０Ωに合わせるものとして提案されている（例えば、非特許文献３を参照）。このＡＭＣによれば、例えば、動物などの動く試料を測定する場合、動物が動いたことによりスペクトラムに現れる雑音信号を抑圧することができ、安定したＥＳＲ測定を行うことができる。
【００１８】
このＡＭＣでは、ロックイン・アンプに内蔵された発振器から出力された信号を、マイクロ波共振器に接続されたバラクタダイオードに印加するようにし、インピーダンス整合に摂動を与えて、反射されたマイクロ波の包絡線を位相検波することにより、インピーダンス整合を制御する電圧を得る構成にしている。
【００１９】
さらには、ＡＭＣの他の構成として、共振器で反射されるマイクロ波の位相をモニタすることにより、インピーダンス整合のずれを検出するようにしたものが提案されている（例えば、非特許文献４を参照）。
【００２０】
【非特許文献１】M. Alecci, S. J. McCallum, and D. J. Lurie, Design and Optimization of an Automatic Frequency Control System for a Radiofrequency Electron Paramagnetic Resonance Spectrometer, Journal of Magnetic Resonance Series A, Vol. A117, pp. 272-277 (1995)
【非特許文献２】J. A. Brivati, A. D. Stevens, and M. C. R. Symons, A radiofrequency ESR spectrometer for in vivo imaging, Journal of Magnetic Resonance, Vol. 92, pp. 480-489 (2001)
【非特許文献３】G. He, S. Petryakov, A. Samouilov, M. Chzhan, P. Kuppusamy, and J. L. Zweier, Development of a resonator with automatic tuning and coupling capability to minimize sample notion noise for in vivo EPR spectroscopy, Journal of Magnetic resonance, Vol. 149, pp. 218-227
【非特許文献４】H. Hirata, Y. Yamaguchi, T. Takahashi, and Z.-W. Luo, Control characteristics of automatic matching control system for in vivo EPR spectroscopy, Magnetic Resonance in Medicine, Vol. 50, pp. 223-227 (2003)
【発明の開示】
【発明が解決しようとする課題】
【００２１】
しかしながら、上述した自動マッチング制御回路（ＡＭＣ）にあっては、制御回路の位相マージンが不足し、帰還制御システムとして安定化することが難しいことがある。また、位相検波回路が使用される自動マッチング制御の場合には、負帰還制御を実現するためには、参照信号の位相調整が必要となるが、この位相調整を行うために、特に、演算増幅器を用いた１段の移相器が使用される場合には、その位相の可変範囲が最大で１８０度に限られている。そのため、この移相器では、可変範囲の両端付近において、適切な位相調整ができないという問題があった。
【００２２】
また、ＡＭＣを構成する位相検波回路において、平衡変調器又は乗算器による変調器へ入力される参照信号に直流成分が含まれることがある。この直流成分が零でない場合には、平衡変調器などのスイッチングのデューティ比が５０％にならない。そのため、スイッチング間隔が偏ったものとなり、位相検波回路を意図して動作をさせることができないという問題があった。
【００２３】
一方、従来に用いられていた電子スピン共鳴測定装置において、安定的に測定できるように、マイクロ波共振器からの反射波信号に基づいて、マイクロ波周波数を制御する自動周波数制御回路（ＡＦＣ）と、マイクロ波共振器の共振周波数を制御する自動チューニング制御回路（ＡＴＣ）とが備えられている。しかし、例えば、共振器を別の共振器に交換して測定するとき、ＡＦＣとＡＴＣを選択することが必要な場合がある。
【００２４】
そのため、ＡＦＣとＡＴＣとを切り替えることを考えるとき、両者ともに、マイクロ波共振器からの反射波信号に基づいて自動制御するものであり、位相検波回路を共通化することが可能であるが、制御対象がそれぞれ異なるため、印加するバイアス電圧を異ならせる必要がある。そのため、位相検波回路が共通化されても、ＡＦＣとＡＴＣとを切り替える毎に、バイアス電圧を変更し、再調整しなければならず、共振器の容易な交換が妨げられることがあるという問題があった。
【００２５】
そこで、本発明の目的は、以上に述べた問題点を解決する電子スピン共鳴測定装置の自動制御装置を提供することにあり、制御回路の位相マージンを確保して、帰還制御システムとして安定化させ、ＡＭＣに使用される位相検波回路おける位相調整の可変範囲を適切に設定し、適切な位相調整ができるようにする。また、位相検波回路の平衡変調器におけるスイッチングのデューティ比が５０％を維持されるようにする。さらには、ＡＦＣとＡＴＣの切り替えを、バイアス電圧調整を不要にして、簡単に行えるようにする。
【課題を解決するための手段】
【００２６】
そこで、上記の問題点に鑑み、課題を解決するため、本発明では、電子スピン共鳴測定装置の自動制御装置において、電子スピン共鳴共振器に接続された伝送線路から一部分岐された反射波信号を包絡線検波する検波回路と、参照信号を出力する発振器と、位相反転され又は非反転の前記参照信号を位相調整する移相器と、該移相器の後に接続された高域通過フィルタ回路と、前記検波回路の検波信号と、前記高域通過フィルタ回路を通過した前記参照信号とを乗算する平衡変調器と、該平衡変調器の出力を積分する積分器と、該積分器の出力信号に前記参照信号を加算する加算器と、を備え、前記加算器の加算出力信号に基づいて、前記共振器の入力インピーダンスを前記伝送線路の特性インピーダンスに整合させることとした。
【００２７】
そして、前記高域通過フィルタ回路は、前記参照信号の周波数付近を遮断周波数とすることとした。
【００２８】
さらに、前記移相器が、前記参照信号を入力とする演算増幅器を含み、該参照信号の位相を所定範囲の位相に調整でき、位相補償回路が、前記積分器と前記加算器との間に挿入され、前記位相補償回路が、フィードバック制御システムの位相マージンを確保できるように動作するようにした。
【００２９】
また、前記自動制御装置は、前記検波回路の検波信号を変調信号に基づいて位相検波する位相検波回路と、前記位相検波回路の出力信号に第１バイアス電圧を加算する第１加算器と、を有する自動チューニング制御回路を含み、該自動チューニング制御回路が、前記共振器の共振周波数を、該共振器に供給されるマイクロ波の周波数に同調させる自動制御を行うこととした。
【００３０】
また、前記自動制御装置は、前記検波回路の検波信号を変調信号に基づいて位相検波する位相検波回路と、前記位相検波回路の出力信号に、第２バイアス電圧と前記変調信号を加算する第２加算器と、を有する自動周波数制御回路を含み、該自動周波数制御回路が、前記共振器に供給されるマイクロ波周波数を、該共振器の共振周波数に同調させる自動制御を行うこととした。
【００３１】
さらに、前記検波回路の検波信号を変調信号に基づいて位相検波する位相検波回路と、前記位相検波回路の出力信号に第１バイアス電圧を加算する第１加算器と、前記位相検波回路の出力信号に第２バイアス電圧と前記変調信号を加算する第２加算器と、前記位相検波回路の出力信号を、第１加算器と第２加算器とに切替出力できる切替回路と、を備えることとした。
【発明の効果】
【００３２】
以上のように、本発明では、電子スピン共鳴測定装置の自動制御装置において、位相検波回路を用いた自動マッチング制御回路が構成され、この位相検波回路内の移相器の直後に、変調周波数付近で遮断周波数となるような高域通過フィルタ回路を挿入したので、移相器の位相を余分に回転することが可能になる。そのため、移相器の０度又は１８０度付近での調整が不要となり、移相器が十分に動作できる範囲で位相調整を行うことができる。
【００３３】
さらに、移相器の直後に高域通過フィルタ回路を挿入することにより、位相検波回路に用いる参照信号に直流成分が含まれていても、この直流成分は、挿入された高域通過フィルタ回路によって遮断され、混合器におけるスイッチングのデューティ比を、無調整で５０％とすることができる。
【００３４】
また、位相検波回路に用いた自動マッチング制御回路において、該位相検波回路内における積分器の直後に、位相補償器を挿入したので、フィードバック制御システムの位相マージンを十分に確保でき、測定中における生体試料の動きがあっても、その動きによる擾乱を補償することができ、電子スピン共鳴測定を安定して行うことができる。
【００３５】
また、本発明による電子スピン共鳴装置の自動制御装置では、位相検波回路の出力信号に第１バイアス電圧を加算する第１加算器と、該位相検波回路の出力信号に第２バイアス電圧と前記変調信号を加算する第２加算器と、位相検波回路の出力信号を、第１加算器と第２加算器とに切替出力できる切替回路とを備えたので、自動周波数制御と自動チューニング制御とに独立して必要なバイアス電圧を与えることができる。そのため、切替回路による切替えによれば、自動制御の制御対象をマイクロ波発振器又はマイクロ波共振器に切り替える際に、バイアス電圧の調整を容易にできる。
【発明を実施するための最良の形態】
【００３６】
次に、本発明の電子スピン共鳴測定装置の自動制御装置に係る実施形態を説明するが、その説明の前に、本実施形態の基礎となる各種の自動制御装置について、図３乃至図５を参照しながら説明する。
【００３７】
図３は、自動チューニング制御（ＡＴＣ）回路の構成例を示しており、このＡＴＣ回路は、図２に示されたＡＴＣ３に対応している。図３に示されたＡＴＣ回路の構成要素には、図２に示されたものと同じ部分に、同じ符号が付されている。なお、図２には示されていないが、図１に示されているように、図３のＡＴＣ回路には、発振器Ｏ１の発振信号を変調するため、発振器Ｏ１に変調信号を供給する発振器Ｏ３が備えられている。この変調信号の周波数は、例えば、２０ｋＨｚである。
【００３８】
図３のＡＴＣ回路には、検波回路Ｄ２、位相敏感検波（ＰＳＤ）回路１０、加算器Ａ２が含まれており、検波回路Ｄ２には、分岐器８によって、マイクロ波共振器Ｒ１で反射された反射波信号が伝送路から一部分岐され入力される。入力された反射波信号は、検波回路Ｄ２で包絡線検波され、ＰＳＤ回路１０に出力される。
【００３９】
ＰＳＤ回路１０には、発振器Ｏ３で発振出力される変調信号が参照信号として供給されている。ＰＳＤ回路１０では、この参照信号に基づいて入力された反射波信号の検波信号を位相検波する。この位相検波の出力は、位相ずれの大きさに応じた直流電圧である。ここで、共振器Ｒ１に備えられたチューニング回路を制御する制御信号を作成するため、加算器Ａ２によって、位相検波出力にバイアス電圧Ｖｂ１が加算される。このバイアス電圧Ｖｂ１は、チューニング回路を駆動する基準電圧となるものであり、チューニング回路の特性に合わせて設定される。
【００４０】
次いで、図４は、自動周波数制御（ＡＦＣ）回路の構成例を示しており、このＡＦＣ回路は、通常、電子スピン共鳴測定装置の自動制御装置として備えられている。図４に示されたＡＦＣ回路の構成要素には、図２に示されたものと同じ部分に、同じ符号が付されている。なお、図２には示されていないが、図４のＡＦＣ回路には、図３に示されたＡＴＣ回路の場合と同様に、発振器Ｏ１に変調信号を供給する発振器Ｏ３が備えられている。この変調信号の周波数も、ＡＴＣ回路の場合と同様である。
【００４１】
図４のＡＦＣ回路には、検波回路Ｄ２、ＰＳＤ回路１０、加算器Ａ３が含まれており、検波回路Ｄ２には、分岐器８によって、マイクロ波共振器Ｒ１で反射された反射波信号が伝送路から一部分岐され入力される。入力された反射波信号は、検波回路Ｄ２で包絡線検波され、ＰＳＤ回路１０に出力される。
【００４２】
ＰＳＤ回路１０には、発振器Ｏ３で発振出力される変調信号が参照信号として供給される。ＰＳＤ回路１０では、この参照信号に基づいて入力された反射波信号の検波信号を位相検波する。この位相検波の出力は、位相ずれの大きさに応じた直流電圧である。これまでの信号処理は、図３に示されたＡＴＣ回路と同様である。ここで、発振器Ｏ１の発振周波数を制御する制御信号を作成するため、発振器Ｏ３の発振信号出力に挿入された加算器Ａ３によって、位相検波出力とバイアス電圧Ｖｂ２とが発振器Ｏ３の発振信号出力に加算される。このバイアス電圧Ｖｂ２は、発振器Ｏ１の発振調整をする電圧であり、発振器Ｏ１の特性に合わせて設定される。
【００４３】
図５は、自動マッチング制御（ＡＭＣ）回路の構成例を示しており、このＡＭＣ回路は、図２に示されたＡＭＣ４に対応している。図５に示されたＡＭＣ回路の構成要素には、図２に示されたものと同じ部分に、同じ符号が付されている。なお、図２には示されていないが、図５のＡＭＣ回路には、ＡＭＣ用の参照信号を発振出力する発振器Ｏ４が備えられている。この参照信号の周波数は、例えば、３．５ｋＨｚである。
【００４４】
図５のＡＭＣ回路には、検波回路Ｄ２の出力に、発振器Ｏ４の発振信号を参照信号とする位相検波回路が備えられている。その位相検波回路によって、共振器Ｒ１からの反射波信号における位相ずれを検出し、その検出出力に基づいて、マイクロ波共振器Ｒ１の入力インピーダンスを伝送線路の特性インピーダンスに整合させる制御が行われる。
【００４５】
上述したＡＴＣ回路やＡＦＣ回路の場合と同様に、分岐器８によって、マイクロ波共振器Ｒ１で反射された反射波信号が伝送路から一部分岐され、分岐された反射波信号は、検波回路Ｄ２で検波され、該検波信号は、必要に応じて増幅器１０１で増幅された後、位相検波回路に入力される。
【００４６】
ここで、ＡＭＣ回路に備えられる位相検波回路は、図５に示されるように、位相反転器１０２、移相器１０３、積分器１０４、平衡変調器Ｍ２、及び加算器Ａ４を含み、さらに、位相反転器１０２と移相器１０３との間に、切替スイッチを有する切替回路１１１が設けられる。なお、積分器１０４は、低域通過フィルタ回路でもよく、平衡変調器Ｍ２は、乗算器でもよい。位相検波に用いられる参照信号は、位相反転器１０２と加算器Ａ４に供給される。位相反転器１０２で位相反転された参照信号は、移相器１０３に入力され、０度から１８０度の範囲で位相調整される。ここで、位相調整された参照信号は、平衡変調器Ｍ２において、前述の検波信号と混合される。なお、切替回路１１１の切替動作によって、位相反転することなく、非反転の参照信号を、発振器Ｏ４から直接に移相器１０３に入力するようにしてもよい。
【００４７】
平衡変調器Ｍ２の出力信号は、積分器１０４において、積分され、平滑化され、加算器Ａ４において、発振器Ｏ４から出力された参照信号と加算される。この加算信号が、共振器Ｒ１に備えられているインピーダンス整合回路に出力され、この加算信号に基づいて、インピーダンス整合回路が制御され、マイクロ波共振器Ｒ１の入力インピーダンスが伝送線路の特性インピーダンスに整合される。
【００４８】
ところで、上述したようなＡＭＣ回路にあっては、制御回路としての位相マージンが不足するため、電子スピン共鳴測定装置における帰還制御システムとして安定化することが難しいことがある。また、負帰還制御を実現するためには、参照信号の位相調整が必要となるが、この位相調整を行うために、特に、演算増幅器を用いた１段の移相器が使用される場合には、その位相の可変範囲が最大で１８０度に限られている。そのため、この移相器では、可変範囲の両端付近において、適切な位相調整ができないものであった。
【００４９】
また、ＡＭＣの位相検波回路において、混合器へ入力される参照信号に直流成分が含まれることがある。この直流成分が零でない場合には、平衡変調器などのスイッチングのデューティ比が５０％にならない。そのため、スイッチング間隔が偏ったものとなり、位相検波回路を意図して動作させることができないものであった。
【００５０】
そこで、本実施形態の電子スピン共鳴測定装置におけるＡＭＣ回路では、この様な問題を解決するものとして、移相器と平衡変調器との間に、高域通過フィルタ回路を挿入し、さらに、積分器と加算器との間に、位相補償器を挿入するものとした。
【００５１】
図６は、本実施形態によるＡＭＣ回路の構成例を示している。本実施形態のＡＭＣ回路の構成は、基本的には、図５に示されたＡＭＣ回路の構成を採用しており、図６に示されたＡＭＣ回路が、図５に示されたＡＭＣ回路と同じ部分には、同じ符号を付した。本実施形態のＡＭＣ回路が、図５のＡＭＣ回路と異なるところは、移相器１０３と平衡変調器Ｍ２との間に、高域通過フィルタ回路１０５が挿入接続され、さらに、積分器１０４と加算器Ａ４との間に位相補償器１０６が挿入接続されていることである。
【００５２】
ところで、１段構成よる移相器が演算増幅器を用いて構成される場合には、その位相調整の可変範囲は、０度から最大で１８０度に限られたものとなる。この場合には、可変範囲の両端である０度と１８０度付近においては、適切に位相調整することができないことがある。
【００５３】
高域通過フィルタ回路１０５は、参照信号の周波数付近で遮断周波数となるようにフィルタ特性が調整されているものとし、例えば、コンデンサと抵抗で構成されたフィルタ回路でよい。この高域通過フィルタ回路１０５が移相器１０３の後に接続されることにより、参照信号の位相を余分に、例えば、４５度程度余分に回転することになる。そのため、移相器１０３の可変範囲における両端の０度及び１８０度付近で調整することがなくなり、その両端での動作を避けることができる。
【００５４】
また、高域通過フィルタ回路１０５は、当然のことながら、信号に対する低域遮断としての機能を有しているので、位相検波回路に入力される参照信号に直流成分が含まれている場合には、この直流成分は遮断される。そのため、直流成分が回路上のオフセットに起因して発生している場合でも、直流成分は遮断され、このオフセットの調整を不要としている。そして、この高域通過フィルタ回路１０５の挿入接続により、直流成分による偏りが抑制されるので、平衡変調器Ｍ２におけるスイッチングのデューティ比が、そのための調整を必要とすることなく、５０％を維持し、位相検波回路として意図した動作をさせることができる。
【００５５】
次に、本実施形態のＡＭＣ回路における位相検波回路の積分器１０４と加算器Ａ４との間に挿入接続された位相補償器１０６について説明する。位相補償器１０６は、フィードバック制御システムの位相マージンを確保するために、挿入されたものであり、位相補償器の構成は、位相マージンが稼げるものであれば、どのようなものでもよい。例えば、２個の抵抗と、コンデンサとで直列接続体を形成し、この直列接続体に、積分器１０４の出力が供給され、そして、２個の抵抗の接続点から信号を取り出す形態とすることもできる。
【００５６】
この形態の位相補償器によれば、高周波数側では、抵抗による分圧比の信号が取り出され、低周波数側では、抵抗による分圧比より高い信号が取り出されることになり、位相マージンを稼げるようになる。なお、この形態に限らず、コンデンサの代わりに、インダクタンスで構成でき、種々の形態を適用することができる。この位相補償器は、電子スピン共鳴測定装置の自動制御装置に組み込まれることによって、安定した自動マッチング制御を実現することができる。
【００５７】
次に、電子スピン共鳴測定装置の自動制御装置の別の実施形態について、図７を参照して説明する。別の実施形態による電子スピン共鳴測定装置の自動制御装置では、図３に示されたＡＴＣ回路と、図４に示されたＡＦＣ回路とが関連する。
【００５８】
前述したように、電子スピン共鳴測定装置においては、安定的に測定できるように、マイクロ波共振器からの反射波信号に基づいて、マイクロ波周波数を制御するＡＦＣ回路と、マイクロ波共振器の共振周波数を制御するＡＴＣ回路とが備えられている。しかし、例えば、共振器を別の共振器に交換して測定するとき、ＡＦＣとＡＴＣを選択することが必要な場合がある。
【００５９】
そこで、別の実施形態の電子スピン共鳴測定装置の自動制御装置では、ＡＦＣ回路とＡＴＣ回路とが共通する回路要素で構成されていることに着目し、ＡＦＣ回路とＡＴＣ回路の制御対象が異なることにも対処し、ＡＦＣ回路とＡＴＣ回路とが選択されて自動制御できるように、簡単に切り替えられる構成とした。
【００６０】
図３及び図４に示されたように、ＡＦＣ回路とＡＴＣ回路ともに、マイクロ波共振器からの反射波信号に基づいて自動制御するものであり、位相検波回路を共通化することが可能である。つまり、マイクロ波共振器Ｒ１からの反射波信号の一部を伝送線路から分岐し、分岐された反射波信号を包絡線検波し、この検波信号を位相検波することまでは、共通である。
【００６１】
ただ、位相検波された後においては、制御対象が、ＡＦＣでは、発振器Ｏ１であるのに対し、ＡＴＣでは、マイクロ波共振器Ｒ１に備えられたチューニング回路であることで異なっているため、位相検波回路の出力に印加するバイアス電圧も異なるものとなる。そこで、別の実施形態の電子スピン共鳴測定装置の自動制御装置では、位相検波回路が共通化された場合でも、ＡＦＣとＡＴＣとを切り替える毎に、バイアス電圧を変更することを必要としないような切替回路を配置して、共振器の容易な交換が妨げられることがないようにした。
【００６２】
図７は、別の実施形態による電子スピン共鳴測定装置の自動制御装置における制御回路の切替構成を示している。なお、図７では、この切替構成を中心にして図示したため、自動制御装置の他の制御構成を省略している。図７に示された自動制御装置では、発振器Ｏ３と、位相敏感検波（ＰＳＤ）回路１０と、加算器Ａ２とで、ＡＴＣ回路が構成され、また、発振器Ｏ３と、ＰＳＤ回路１０と、加算器Ａ３とで、ＡＦＣ回路が構成されており、位相検波回路が、共通化されている。
【００６３】
ＡＴＣとＡＦＣに共通なＰＳＤ回路１０の出力は、切替回路１１０の入力端子に接続されている。切替回路１１０は、２出力端子を有し、入力端子に入力された信号を、例えば、オペレータのマニュアル操作による外部制御信号に基づいて、出力端子のいずれかに切り替えて出力する。入力された位相検波出力が、加算器Ａ２又は加算器Ａ３のいずれかに供給される。
【００６４】
位相検波回路の位相検波出力が、加算器Ａ２に供給されたときには、ＡＴＣ回路が有効となって動作することになり、或いは、その位相検波出力が、加算器Ａ３に供給されたときには、ＡＦＣ回路が有効となって動作する。
【００６５】
以上のような構成とすることにより、例えば、電子スピン共鳴測定装置の自動制御装置には、ＡＦＣ回路が備えられている場合に、さらに、ＡＴＣ制御機能を付加したいときには、ＡＴＣ制御機能に必要な位相検波回路について、別途にＡＴＣ用を設けなくとも、ＡＦＣ回路の位相検波回路を共有させることができ、簡単な切替回路を設けるだけで、ＡＦＣ回路とＡＴＣ回路とを任意に切り替えられ、しかも、切り替える度に、制御に適したバイアス電圧調整が必要なくなる。
【図面の簡単な説明】
【００６６】
【図１】本発明の基礎となる電子スピン共鳴測定装置の概略構成を説明するブロック図である。
【図２】電子スピン共鳴測定装置における自動制御回路の概略構成を説明するブロック図である。
【図３】図１に示された自動制御回路における自動チューニング制御回路の具体例を説明するブロック図である。
【図４】図１に示された自動制御回路における自動周波数制御回路の具体例を説明するブロック図である。
【図５】電子スピン共鳴測定装置に備えられる自動マッチング制御回路の具体例を説明するブロック図である。
【図６】本発明による電子スピン共鳴測定装置に備えられる自動マッチング制御回路の実施形態を説明するブロック図である。
【図７】自動チューニング制御回路と自動周波数制御回路とを切り替えて動作させる場合の切替制御回路を説明する図である。
【符号の説明】
【００６７】
１、１０    位相敏感検波回路（ＰＳＤ）
２    電子スピン共鳴測定制御装置
３    自動チューニング制御回路（ＡＴＣ）
４    自動マッチング制御回路（ＡＭＣ）
５    直流電源
６    電力増幅器
７、１０１    増幅器
８    分岐器
９    移相器
１０２    位相反転器
１０３    ０−１８０度可変移相器
１０４    積分器
１０５    高域通過フィルタ回路
１０６    位相補償器
１１０、１１１    切替回路
Ａ１〜Ａ４    加算器
Ｃ    ブリッジ
Ｄ１、Ｄ２    検波回路
Ｏ１〜Ｏ４    発振器
Ｒ１    マイクロ波共振器
Ｒ２    直流磁界用マグネット
Ｒ３    変調磁界用コイル
Ｍ２    平衡変調器
【図１】
2007010331.tif 000003
【図２】
2007010331.tif 000004
【図３】
2007010331.tif 000005
【図４】
2007010331.tif 000006
【図５】
2007010331.tif 000007
【図６】
2007010331.tif 000008
【図７】
2007010331.tif 000009